(57)【特許請求の範囲】
【請求項１】
集積硬貨に包装シートが巻き回され該包装シートの前記集積硬貨よりも集積方向両外側が加締部とされた棒金を、立位状態で、前記加締部の内側に挿入される載置座部に載置させて収納する棒金収納装置であって、
前記載置座部は、載置対象金種の棒金の前記加締部の内側に挿入可能であって載置対象金種よりも小径の異金種の棒金の前記加締部の内側に挿入困難な大きさに形成されており、
前記載置座部には、載置された棒金の前記集積硬貨の集積方向端面との距離に応じて出力値が変化するセンサが設けられ、
該センサの出力値に基づいて前記載置座部に異金種の棒金が載置されていることを判定する判定手段を有することを特徴とする棒金収納装置。
【請求項２】
前記判定手段は、
前記センサの出力値が、前記距離が所定値を超えていることを示す場合に、前記載置座部に異金種の棒金が載置されていると判定することを特徴とする請求項１記載の棒金収納装置。
【請求項３】
前記判定手段は、
載置対象金種が同じ二カ所の前記載置座部の前記センサ同士の出力値の差が所定値を超えている場合に、前記二カ所の載置座部のいずれか一方に異金種の棒金が載置されていると判定することを特徴とする請求項１記載の棒金収納装置。
【請求項４】
前記載置座部は、座面の一部が形成され所定値以上の荷重で下降する昇降部を有することを特徴とする請求項１乃至３のいずれか一項記載の棒金収納装置。
【請求項５】
前記センサは、磁気センサであることを特徴とする請求項１乃至４のいずれか一項記載の棒金収納装置。
【請求項６】
載置対象が無孔硬貨の棒金である前記載置座部には、水平方向の中央位置に前記センサが設けられていることを特徴とする請求項１乃至５のいずれか一項記載の棒金収納装置。
【請求項７】
載置対象が有孔硬貨の棒金である前記載置座部には、水平方向の中央に前記有孔硬貨の棒金の孔に挿入される凸部が形成され、水平方向の前記凸部からずれた位置に前記センサが設けられていることを特徴とする請求項１乃至５のいずれか一項記載の棒金収納装置。
【発明の詳細な説明】
【技術分野】
【０００１】
本発明は、棒金収納装置に関する。
【背景技術】
【０００２】
現金管理装置において、棒金を円筒状の載置台部に載置させて収納するものがある。この現金管理装置では、載置台部の外径が、棒金の包装紙の加締部の内径よりも小さくされており、載置台部の突出高さが加締部の硬貨からの突出高さよりも高くなっている。これにより、載置台部は、棒金の加締部を逃げて硬貨部分を直接支持するようになっている（例えば、特許文献１参照）。
【先行技術文献】
【特許文献】
【０００３】
【特許文献１】特開２０１２−４８３６３号公報
【発明の概要】
【発明が解決しようとする課題】
【０００４】
上記の現金管理装置では、載置台部の内側の貫通孔を介して光を照射して載置台部の棒金の有無を検知する光学反射型の棒金セット検知センサが設けられている。また、この棒金セット検知センサとは別に、載置台部に載置された棒金の上端部の反射光量から金種を識別する棒金検出ラインセンサが設けられている。このため、コストが増大してしまう。
【０００５】
本発明は、上記の点に鑑みなされたもので、コストを低減可能な棒金収納装置の提供を目的とする。
【課題を解決するための手段】
【０００６】
上記目的を達成するために、請求項１に係る発明は、集積硬貨に包装シートが巻き回され該包装シートの前記集積硬貨よりも集積方向両外側が加締部とされた棒金を、立位状態で、前記加締部の内側に挿入される載置座部に載置させて収納する棒金収納装置であって、前記載置座部は、載置対象金種の棒金の前記加締部の内側に挿入可能であって載置対象金種よりも小径の異金種の棒金の前記加締部の内側に挿入困難な大きさに形成されており、前記載置座部には、載置された棒金の前記集積硬貨の集積方向端面との距離に応じて出力値が変化するセンサが設けられ、該センサの出力値に基づいて前記載置座部に異金種の棒金が載置されていることを判定する判定手段を有することを特徴とする。
【０００７】
請求項２に係る発明は、請求項１に係る発明において、前記判定手段は、前記センサの出力値が、前記距離が所定値を超えていることを示す場合に、前記載置座部に異金種の棒金が載置されていると判定することを特徴とする。
【０００８】
請求項３に係る発明は、請求項１に係る発明において、前記判定手段は、載置対象金種が同じ二カ所の前記載置座部の前記センサ同士の出力値の差が所定値を超えている場合に、前記二カ所の載置座部のいずれか一方に異金種の棒金が載置されていると判定することを特徴とする。
【０００９】
請求項４に係る発明は、請求項１乃至３のいずれか一項に係る発明において、前記載置座部は、座面の一部が形成され所定値以上の荷重で下降する昇降部を有することを特徴とする。
【００１０】
請求項５に係る発明は、請求項１乃至４のいずれか一項に係る発明において、前記センサは、磁気センサであることを特徴とする。
【００１１】
請求項６に係る発明は、請求項１乃至５のいずれか一項に係る発明において、載置対象が無孔硬貨の棒金である前記載置座部には、水平方向の中央位置に前記センサが設けられていることを特徴とする。
【００１２】
請求項７に係る発明は、請求項１乃至５のいずれか一項に係る発明において、載置対象が有孔硬貨の棒金である前記載置座部には、水平方向の中央に前記有孔硬貨の棒金の孔に挿入される凸部が形成され、水平方向の前記凸部からずれた位置に前記センサが設けられていることを特徴とする。
【発明の効果】
【００１３】
請求項１に係る発明によれば、載置座部が、載置対象金種よりも小径の小径異金種の棒金の加締部の内側に挿入困難な大きさに形成されていることから、小径異金種の棒金が載置されると、載置座部と集積硬貨との距離が大きくなる。これを利用し、載置座部に載置された棒金の集積硬貨との距離に応じて出力値が変化するセンサを設け、判定手段が、このセンサの出力値に基づいて載置座部に異金種の棒金が載置されていることを判定する。したがって、低コストで、異金種の棒金が載置されていることを判定することができる。よって、コストを低減可能となる。
【００１４】
請求項２に係る発明によれば、判定手段は、センサの出力値が集積硬貨との距離が所定値を超えていることを示す場合に、載置座部に異金種の棒金が載置されていると判定する。よって、判定制御を容易化できる。
【００１５】
請求項３に係る発明によれば、判定手段は、載置対象金種が同じ二カ所の載置座部のセンサ同士の出力値の差が所定値を超えている場合に、これら二カ所の載置座部のいずれか一方に異金種の棒金が載置されていると判定する。よって、ノイズの影響等を容易に排除できる。
【００１６】
請求項４に係る発明によれば、センサとして、棒金の集積硬貨との距離に応じて出力値が大きく変化する磁気センサを用いるため、載置座部に異金種の棒金が載置されていることの判定が容易かつ正確にできる。また、センサとして、集積硬貨の材質を検出できる磁気センサを用いるため、載置された棒金の金種を判別することができる。
【００１７】
請求項５に係る発明によれば、載置座部の座面の一部が形成された昇降部が所定値以上の荷重で下降するため、棒金が載置座部上に載置された場合には昇降部が下降して、上記と同様の状態となる一方、棒金がばらけて少量の硬貨が載置座部上に載置された場合に、昇降部が下降せず、センサと硬貨との距離が大きい状態を維持する。よって、棒金がばらけて少量の硬貨が載置座部上に載置された場合に生じる誤判定を抑制することができる。
【００１８】
請求項６に係る発明によれば、載置対象が無孔硬貨の棒金である載置座部には、水平方向の中央位置にセンサが設けられているため、棒金の倒れによる検出データへの影響を抑制できる。
【００１９】
請求項７に係る発明によれば、載置対象が有孔硬貨の棒金である載置座部には、水平方向の中央に有孔硬貨の棒金の孔に挿入される凸部が形成されているため、無孔硬貨の棒金に対しては凸部が当たって集積硬貨とセンサとの距離を大きくすることになる。よって、載置対象である有孔硬貨の棒金に対して、載置座部の大きさではセンサと集積硬貨との距離が大きくなりにくい無孔硬貨の棒金があっても、これが異金種であることを判定できる。
【図面の簡単な説明】
【００２０】
【図１】本発明の第１実施形態に係る棒金収納装置を示す斜視図である。
【図２】本発明の第１実施形態に係る棒金収納装置の要部の構成図であって、（ａ）は無孔硬貨用の載置台部を示すものであり、（ｂ）は有孔硬貨用の載置台部を示すものである。
【図３】本発明の第１実施形態に係る棒金収納装置の要部の構成図であって、（ａ）は無孔硬貨用の載置台部に異金種の棒金が載置された状態を示すものであり、（ｂ）は有孔硬貨の棒金用の載置台部に無孔硬貨の棒金が載置された状態を示すものである。
【図４】本発明の第２実施形態に係る棒金収納装置の要部の構成図であって、（ａ）は載置台部に載置対象金種の棒金が載置された状態を示すものであり、（ｂ）は載置台部にバラ硬貨が載置された状態を示すものである。
【発明を実施するための形態】
【００２１】
本発明の第１実施形態に係る棒金収納装置を図１〜図３を参照して以下に説明する。
【００２２】
図１に示す本実施形態に係る棒金収納装置１０は、出納機への現金の補充や出納機からの現金の回収を行う際に用いられるものであって、棒金以外に小束紙幣も収納する現金管理装置である。棒金収納装置１０は、店舗の係員側スペースに設置されて係員により取り扱われるものであり、より窓口カウンタに近い位置で主に小束紙幣および棒金を入出庫可能に収納するものである。
【００２３】
棒金収納装置１０は、箱型の装置本体１１と、この装置本体１１に上下方向に複数段具体的には８段設けられた収納庫１２とを有している。これら収納庫１２は、その左右側壁に設けられたスライドレール１３を介して装置本体１１に対して水平方向に沿ってスライド開閉可能となっている。これら収納庫１２は、前方に引き出され、後方に押し込まれることになり、このように前後方向にのみ所定範囲で移動可能となるように装置本体１１に連結されている。
【００２４】
複数段の収納庫１２のうち、最も上側のものは、予備収納庫１２（ａ）となっており、結束されていないバラの紙幣、包装されていないバラの硬貨、汚損紙幣や汚損硬貨、金券等を収納する。また、残りの収納庫１２は、上側４段が小束紙幣を収納する小束収納庫１２（ｂ）となっており、下側３段が棒金を収納する棒金収納庫１２（ｃ）となっている。勿論、収納庫１２の全体の数や、そのうちの小束収納庫１２（ｂ）および棒金収納庫１２（ｃ）の個々の数等は任意に設定可能である。
【００２５】
装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２６】
装置本体１１には、複数の収納庫１２のそれぞれに対して、収納庫１２を閉状態で個別にロックする図示略のロック機構が設けられており、複数の収納庫１２のそれぞれの側方に、ロック機構のロック解除時のみ点灯する表示灯２３が設けられている。
【００２７】
収納庫１２は、装置本体１１から引き出されると上方に開口する有底枠状をなしている。棒金収納庫１２（ｃ）は、棒金Ｂを入出庫可能に収納する。棒金Ｂは、図２に示すように、単一金種の硬貨ｃが所定枚数集積された集積硬貨Ｃに包装シートＳが巻き回され包装シートＳの集積硬貨Ｃよりも集積方向両外側（図２において一側のみ図示）が加締部Ｋとされたものである。ここで、加締部Ｋは、集積硬貨Ｃの外周面よりも径方向内側に突出する円環状をなしており、端位置の硬貨ｃの集積方向外側の端面に全周にわたって接触している。これにより、加締部Ｋは、集積硬貨Ｃをばらけないように軸方向から抑えている。
【００２８】
収納庫１２には、棒金Ｂが中心軸線を上下に延在させる立位状態で収納される。収納庫１２は、棒金Ｂが挿入され挿入された棒金Ｂを立位状態に保持する鉛直方向に沿う壁部３５と、壁部３５の下部を閉塞する底部３６とを有している。壁部３５および底部３６は、下方に凹む上方開口形状の棒金収納凹部３７を構成している。すべての棒金収納凹部３７は、それぞれの載置対象金種が所定の一金種に設定されている。
【００２９】
底部３６には、棒金Ｂを載置させる円柱状の載置座部４０が上方に突出するように形成されている。載置座部４０の外径は、載置対象金種の棒金Ｂの加締部Ｋの内径よりも小さくされており、載置座部４０の突出高さは載置対象金種の棒金Ｂの加締部Ｋの集積硬貨Ｃからの突出高さよりも高くなっている。これにより、載置座部４０は、載置対象金種の棒金Ｂの載置時には、棒金Ｂの加締部Ｋの内側に挿入されてその集積硬貨Ｃに直接当接し、この状態で棒金Ｂを支持するようになっている。
【００３０】
載置座部４０は、水平な座面４１と、鉛直に沿う円筒状壁面４２とを有している。載置座部４０は、その円筒状壁面４２が、載置対象金種の棒金Ｂの加締部Ｋの内側に挿入可能であって載置対象金種よりも小径の異金種の棒金Ｂの加締部Ｋの内側に挿入困難な大きさに形成されている。具体的に、載置座部４０は、載置対象金種の棒金Ｂの加締部Ｋの内径以下の外径であって載置対象金種よりも小径の小径異金種の棒金Ｂの加締部Ｋの内径よりも大径の外径に形成されている。載置座部４０は、座面４１が載置対象金種の棒金Ｂの集積硬貨Ｃに直接当接する。他方、載置座部４０に小径異金種の棒金Ｂを載置させようとしても、加締部Ｋが載置座部４０に引っかかり、座面４１が小径異金種の棒金Ｂの集積硬貨Ｃに直接当接することなく、離間した状態となる。
【００３１】
より具体的に、５００円硬貨を包装した外径２６．５ｍｍ、加締部Ｋの内径が２２．５ｍｍの棒金Ｂが載置対象金種の棒金Ｂである棒金収納凹部３７の載置座部４０は、円筒状壁面４２の外径つまり座面４１の直径が２２．０ｍｍとなっている。
【００３２】
また、１０円硬貨を包装した外径２３．５ｍｍ、加締部Ｋの内径が１９．５ｍｍの棒金Ｂが載置対象金種の棒金Ｂである棒金収納凹部３７の載置座部４０は、円筒状壁面４２の外径つまり座面４１の直径が１９．０ｍｍとなっている。
【００３３】
また、１００円硬貨を包装した外径２２．６ｍｍ、加締部Ｋの内径が１８．６ｍｍの棒金Ｂが載置対象金種の棒金Ｂである棒金収納凹部３７の載置座部４０は、円筒状壁面４２の外径つまり座面４１の直径が１８．０ｍｍとなっている。
【００３４】
また、５円硬貨を包装した外径２２．０ｍｍ、加締部Ｋの内径が１８．０ｍｍの棒金Ｂが載置対象金種の棒金Ｂである棒金収納凹部３７の載置座部４０は、円筒状壁面４２の外径つまり座面４１の直径が１７．６ｍｍとなっている。
【００３５】
また、５０円硬貨を包装した外径２１．０ｍｍ、加締部Ｋの内径が１７．０ｍｍの棒金Ｂが載置対象金種の棒金Ｂである棒金収納凹部３７の載置座部４０は、円筒状壁面４２の外径つまり座面４１の直径が１６．４ｍｍとなっている。
【００３６】
また、１円硬貨を包装した外径２０ｍｍ、加締部Ｋの内径が１６ｍｍの棒金が、載置対象金種の棒金Ｂである棒金収納凹部３７の載置座部４０は、円筒状壁面４２の外径つまり座面４１の直径が１５．６ｍｍとなっている。
【００３７】
図２（ａ）に示すように、載置対象が無孔硬貨の棒金Ｂである棒金収納凹部３７、つまり、５００円硬貨の棒金Ｂ用の棒金収納凹部３７、１０円硬貨の棒金Ｂ用の棒金収納凹部３７、１００円硬貨の棒金Ｂ用の棒金収納凹部３７および１円硬貨の棒金Ｂ用の棒金収納凹部３７のそれぞれの載置座部４０は、座面４１が内側に凸部のない平坦面となっている。これに対し、図２（ｂ）に示すように、載置対象が有孔硬貨の棒金Ｂ用の棒金収納凹部３７、つまり、５円硬貨の棒金Ｂ用の棒金収納凹部３７および５０円硬貨の棒金Ｂ用の棒金収納凹部３７のそれぞれの載置座部４０には、座面４１の内側、具体的には座面４１の水平方向の中央に、座面４１よりも突出して有孔硬貨の棒金Ｂの孔に挿入される凸部４８が形成されている。
【００３８】
無孔硬貨である５００円硬貨の棒金Ｂが載置対象金種の棒金Ｂである棒金収納凹部３７の載置座部４０は、図２（ａ）に示すように、座面４１が内側に凸部のない平坦面となっている。この載置座部４０は、その外径から、５００円硬貨の棒金Ｂの加締部Ｋの内側に挿入可能であってその集積硬貨Ｃに当接可能となっている。一方、この載置座部４０は、その外径から、１０円硬貨の棒金Ｂ、１００円硬貨の棒金Ｂ、５円硬貨の棒金Ｂ、５０円硬貨の棒金Ｂおよび１円硬貨の棒金Ｂのそれぞれの加締部Ｋの内側には挿入困難であってそれぞれの集積硬貨Ｃに対しては当接困難となっている。
【００３９】
また、無孔硬貨である１０円硬貨の棒金Ｂが載置対象金種の棒金Ｂである棒金収納凹部３７の載置座部４０は、座面４１が内側に凸部のない平坦面となっているため、その外径から、５００円硬貨の棒金Ｂおよび１０円硬貨の棒金Ｂのそれぞれの加締部Ｋの内側に挿入可能であってそれぞれの集積硬貨Ｃに当接可能となっている。一方、この載置座部４０は、その外径から、５円硬貨の棒金Ｂ、５０円硬貨の棒金Ｂおよび１円硬貨の棒金Ｂのそれぞれの加締部Ｋの内側には挿入困難であってそれぞれの集積硬貨Ｃに対しては当接困難となっている。この載置座部４０は、その外径から、径差の小さい１００円硬貨の棒金Ｂについては、ものによって挿入可能であったり、挿入困難であったりする。
【００４０】
また、無孔硬貨である１００円硬貨の棒金Ｂが載置対象金種の棒金Ｂである棒金収納凹部３７の載置座部４０は、座面４１が内側に凸部のない平坦面となっているため、その外径から、５００円硬貨の棒金Ｂ、１０円硬貨の棒金Ｂおよび１００円硬貨の棒金Ｂおよび５円硬貨の棒金Ｂのそれぞれの加締部Ｋの内側に挿入可能であってそれぞれの集積硬貨Ｃに当接可能となっている。一方、この載置座部４０は、その外径から、５０円硬貨の棒金Ｂおよび１円硬貨の棒金Ｂのそれぞれの加締部Ｋの内側には挿入困難であってそれぞれの集積硬貨Ｃに対しては当接困難となっている。
【００４１】
また、無孔硬貨である１円硬貨の棒金Ｂが載置対象金種の棒金Ｂである棒金収納凹部３７の載置座部４０は、座面４１が内側に凸部のない平坦面となっているため、その外径から、５００円硬貨の棒金Ｂ、１０円硬貨の棒金Ｂ、１００円硬貨の棒金Ｂ、５円硬貨の棒金Ｂ、５０円硬貨の棒金Ｂおよび１円硬貨の棒金Ｂのそれぞれの加締部Ｋの内側に挿入可能であってそれぞれの集積硬貨Ｃに当接可能となっている。
【００４２】
また、有孔硬貨である５円硬貨の棒金Ｂが載置対象金種の棒金Ｂである棒金収納凹部３７の載置座部４０は、図２（ｂ）に示すように、凸部４８が５円硬貨の棒金Ｂの孔に挿入可能であるため、座面４１に５円硬貨の棒金Ｂの集積硬貨Ｃが直接載置される。一方、この載置座部４０は、図３（ｂ）に示すように、座面４１の内側に凸部４８があるため、無孔硬貨の棒金Ｂ、つまり、５００円硬貨の棒金Ｂ、１０円硬貨の棒金Ｂ、１００円硬貨の棒金Ｂおよび１円硬貨の棒金Ｂの集積硬貨Ｃが座面４１に直接載置されることはない。５円硬貨の棒金Ｂが載置対象金種の棒金Ｂである載置座部４０は、外径から、５０円硬貨の棒金Ｂについては、ものによって挿入可能であったり、挿入困難であったりする。
【００４３】
また、有孔硬貨である５０円硬貨の棒金Ｂが載置対象金種の棒金Ｂである棒金収納凹部３７の載置座部４０は、図２（ｂ）に示すように、凸部４８が５０円硬貨の棒金Ｂの孔に挿入可能であるため、座面４１に５０円硬貨の棒金Ｂの集積硬貨Ｃが直接載置される。一方、この載置座部４０は、図３（ｂ）に示すように、座面４１の内側に凸部４８があるため、無孔硬貨の棒金Ｂ、つまり、５００円硬貨の棒金Ｂ、１０円硬貨の棒金Ｂ、１００円硬貨の棒金Ｂおよび１円硬貨の棒金Ｂの集積硬貨Ｃが座面４１に直接載置されることはない。５０円硬貨の棒金Ｂが載置対象金種の棒金Ｂである載置座部４０は、外径から、５円硬貨の棒金Ｂの加締部Ｋの内側に挿入可能であってその集積硬貨Ｃに座面４１が当接可能となっている。
【００４４】
図２（ａ）に示すように、載置対象が無孔硬貨の棒金Ｂである棒金収納凹部３７、つまり、５００円硬貨の棒金Ｂ用の棒金収納凹部３７、１０円硬貨の棒金Ｂ用の棒金収納凹部３７、１００円硬貨の棒金Ｂ用の棒金収納凹部３７および１円硬貨の棒金Ｂ用の棒金収納凹部３７のそれぞれの載置座部４０は、水平方向の中央位置に座面４１の一部を形成するようにセンサ４５が設けられている。このセンサ４５は、載置座部４０に載置された棒金Ｂの集積硬貨Ｃとの距離に応じて出力値が変化するものであり、具体的には磁気センサである。
【００４５】
図２（ｂ）に示すように、載置対象が有孔硬貨の棒金Ｂ用の棒金収納凹部３７、つまり、５円硬貨の棒金Ｂ用の棒金収納凹部３７および５０円硬貨の棒金Ｂ用の棒金収納凹部３７のそれぞれの載置座部４０には、水平方向の凸部４８からずれた位置に、座面４１の一部を形成するようにセンサ４５が設けられている。
【００４６】
そして、棒金収納装置１０は、センサ４５の出力値に基づいて、載置座部４０に異金種の棒金Ｂが載置されていることを判定する制御部（判定手段）５０を有している。制御部５０は、載置座部４０のセンサ４５の出力値が、このセンサ４５が設けられた座面４１と棒金Ｂの集積硬貨Ｃとの距離が所定値を超えていることを示す場合に、図３に示すように、この載置座部４０に異金種の棒金Ｂが載置されていると判定する。一方、制御部５０は、センサ４５の出力値が、このセンサ４５が設けられた座面４１と棒金Ｂの集積硬貨Ｃとの距離が所定値以下であることを示す場合に、図２に示すように、この載置座部４０に載置対象金種の棒金Ｂが載置されているか、あるいは外径からは異金種であることを判定できない棒金Ｂが載置されていると判定する。
【００４７】
つまり、磁気センサであるセンサ４５の出力値は、センサ４５が設けられた座面４１と棒金Ｂの集積硬貨Ｃとの距離が近づけば近づくほど大きくなり、よって、座面４１に集積硬貨Ｃが接触していると最も大きくなる。逆に、センサ４５の出力値は、センサ４５が設けられた座面４１と棒金Ｂの集積硬貨Ｃとの距離が離れれば離れるほど小さくなり、よって、加締部Ｋあるいは凸部４８により座面４１から集積硬貨Ｃが離間していると接触時よりも小さくなる。
【００４８】
このため、センサ４５の出力値が、載置座部４０の座面４１に集積硬貨Ｃが接触していると判定できる所定値以上の場合に、図２に示すように、この載置座部４０に載置対象金種の棒金Ｂが載置されているか、あるいは外径からは異金種であることを判定できない棒金Ｂが載置されていると判定し、この所定値未満の場合には、図３に示すように、この載置座部４０に異金種の棒金Ｂが載置されていると判定する。
【００４９】
そして、制御部５０は、異金種の棒金Ｂが載置座部４０に載置されていると判定した場合、この載置座部４０を含む棒金収納凹部３７の識別と異金種の棒金Ｂが棒金収納凹部３７に収納されている旨とを表示部１７に表示させるとともに、音声発生部２０でアラーム音声を発生させる。
【００５０】
また、制御部５０は、載置座部４０のセンサ４５の出力値が、このセンサ４５が設けられた座面４１と棒金Ｂの集積硬貨Ｃとの距離が所定値以下であることを示し、この載置座部４０に、載置対象金種の棒金Ｂが載置されているか、あるいは外径からは異金種であることを判定できない棒金Ｂが載置されていると判定すると、センサ４５が検出している磁気データから、集積硬貨Ｃの金種を識別する。そして、制御部５０は、載置対象金種とは異なる材質異金種の棒金Ｂが載置座部４０に載置されていると判定した場合、この載置座部４０を含む棒金収納凹部３７の識別と異金種の棒金Ｂが収納されている旨とを表示部１７に表示させるとともに、音声発生部２０でアラーム音声を発生させる。
【００５１】
他方、制御部５０は、棒金収納装置１０内に、載置対象金種とは異なる材質異金種の棒金Ｂが収納されていないと判定すると、センサ４５が検出している磁気データに基づいて識別された棒金Ｂを金種別に計数して、棒金収納装置１０内の棒金Ｂの金種別の在高を把握する。
【００５２】
以上に述べた第１実施形態の棒金収納装置１０によれば、載置座部４０が、載置対象金種よりも小径の小径異金種の棒金Ｂの加締部Ｋの内側に挿入困難な大きさに形成されていることから、小径異金種の棒金Ｂが載置されると、載置座部４０と集積硬貨Ｃとの距離が大きくなる。これを利用し、載置座部４０に載置された棒金Ｂの集積硬貨Ｃとの距離に応じて出力値が変化するセンサ４５を設け、制御部５０が、このセンサ４５の出力値に基づいて載置座部４０に異金種の棒金Ｂが載置されていることを判定する。したがって、低コストで、異金種の棒金Ｂが載置されていることを判定することができる。よって、コストを低減可能となる。
【００５３】
また、制御部５０は、センサ４５の出力値が集積硬貨Ｃとの距離が所定値を超えていることを示す場合に、図３に示すように載置座部４０に異金種の棒金Ｂが載置されていると判定する一方、センサ４５の出力値が、集積硬貨Ｃとの距離が所定値以下であることを示す場合に、図２に示すように載置対象金種の棒金Ｂが載置されているか、あるいは外径からは異金種であることを判定できない棒金Ｂが載置されていると判定する。よって、判定制御を容易化できる。
【００５４】
また、センサ４５として、棒金Ｂの集積硬貨Ｃとの距離に応じて出力値が大きく変化する磁気センサを用いるため、載置座部４０に異金種の棒金Ｂが載置されていることの判定が容易かつ正確にできる。また、センサ４５として、集積硬貨Ｃの材質を検出できる磁気センサを用いるため、金種を判別することができる。
【００５５】
また、図２（ａ）に示すように載置対象が無孔硬貨の棒金Ｂである載置座部４０には、水平方向の中央位置にセンサ４５が設けられているため、棒金Ｂの倒れによる検出データへの影響を抑制できる。
【００５６】
また、図２（ｂ）に示すように載置対象が有孔硬貨の棒金Ｂである載置座部４０には、水平方向の中央に有孔硬貨の棒金Ｂの孔に挿入される凸部４８が形成されているため、図３（ｂ）に示すように無孔硬貨の棒金Ｂに対しては凸部４８が当たって集積硬貨Ｃとセンサ４５との距離を大きくすることになる。よって、載置対象が有孔硬貨の棒金Ｂである載置座部４０において、載置対象の棒金Ｂとの加締部Ｋの内径の差が小さく、この棒金Ｂに対して、載置座部４０の大きさではセンサ４５と集積硬貨Ｃとの距離が大きくなりにくい無孔硬貨の棒金Ｂが載置されても、これが異金種であることを判定できる。
【００５７】
本発明の第２実施形態に係る棒金収納装置を主に図４を参照して以下に第１実施形態との相違部分を中心に説明する。
【００５８】
図４に示すように、第２実施形態においては、載置座部４０がセンサ４５を含む本体部６１と、本体部６１に対して昇降可能に設けられた昇降部６２と、昇降部６２を上方に付勢するスプリング６３とを有している。昇降部６２には座面４１のセンサ４５の上面４５ａを除く一部となる上面６２ａと円筒状壁面４２とが形成されている。なお、図４は、無孔硬貨の棒金Ｂを載置させる載置座部４０を例にとり図示しているが、有孔硬貨の棒金Ｂを載置させる凸部４８を有する載置座部４０も同様の構造にできる。
【００５９】
このような載置座部４０は、棒金Ｂが載置されて所定値以上の荷重が昇降部６２に加わると、図４（ａ）に示すように昇降部６２がスプリング６３の付勢力に抗して下降し、座面４１を構成するセンサ４５の上面４５ａと昇降部６２の上面６２ａとが同一平面に配置され、第１実施形態と同様の状態になる。これにより、第１実施形態と同様に、制御部５０が、センサ４５の出力値に基づいて載置座部４０に異金種の棒金Ｂが載置されていることを判定する。他方、図４（ｂ）に示すように、棒金Ｂがばらける等して少量の硬貨ｃが載置座部４０上に載置された場合には、昇降部６２が下降せずに、センサ４５と硬貨ｃとの距離が大きい状態を維持する。よって、棒金Ｂがばらける等して少量の硬貨ｃが載置座部４０上に載置された場合に、この硬貨ｃが例え載置対象金種であったとしても、載置対象金種の棒金Ｂが載置されていると誤判定することがなくなる。
【００６０】
なお、第１，第２実施形態においては、制御部５０が、センサ４５の出力値が集積硬貨Ｃとの距離が所定値を超えていることを示す場合に、載置座部４０に異金種の棒金Ｂが載置されていると判定する一方、センサ４５の出力値が、集積硬貨Ｃとの距離が所定値以下であることを示す場合に、載置座部４０に載置対象金種の棒金Ｂが載置されているか、あるいは異金種であることを判定できない棒金Ｂが載置されていると判定する場合を例にとり説明した。これにかえて、制御部５０が、載置対象金種が同じ二カ所の載置座部４０のセンサ４５同士の出力値の差が所定値を超えている場合に、これら二カ所の載置座部４０のいずれか一方（センサ４５と集積硬貨Ｃとの距離が大きいと判定できる一方）に異金種の棒金Ｂが載置されていると判定する一方、載置対象金種が同じ二カ所の載置座部４０のセンサ４５同士の出力値の差が、所定値以下の場合に、これら二カ所の載置座部４０に、載置対象金種の棒金Ｂが載置されているか、あるいは外径からは異金種であることを判定できない棒金Ｂが載置されていると判定するようにしても良い。このように判定すれば、ノイズの影響等を容易に排除できる。
【００６１】
また、第１，第２実施形態においては、センサ４５が磁気センサである場合を例にとり説明したが、載置座部４０に載置された棒金Ｂの集積硬貨Ｃとの距離に応じて出力値が変化するものであれば、反射型の距離センサや、圧力センサを載置座部４０に設けても良い。
【００６２】
さらに、第１，第２実施形態において、マスタとなる棒金Ｂを準備しておき、所定期間ごとに、このマスタ棒金Ｂを載置対象金種とする載置座部４０に載置させてセンサ４５の出力値を検出し、この出力値を基準データとしてセンサ４５の検出値を補正する保守モードを実行しても良い。
【符号の説明】
【００６３】
１０  棒金収納装置
４０  載置座部
４１  座面
４２  円筒状壁面
４５  センサ
４８  凸部
５０  制御部（判定手段）
６２  昇降部
Ｃ  集積硬貨
Ｋ  加締部
Ｓ  包装シート
【図１】
0006308670.tif 000002
【図２】
0006308670.tif 000003
【図３】
0006308670.tif 000004
【図４】
0006308670.tif 000005